(57)【特許請求の範囲】
【請求項１】
絶縁性のコネクタ本体と、該コネクタ本体に一体的に組付けされた導電性のコンタクトとを備え、
該コンタクトには、前記コネクタ本体に支持される被支持部と、接触対象物に押圧された場合に撓み変形するばね部と、電線に接続されるリード部とが一体形成されており、
前記コネクタ本体が固定部材に固定されるように構成されており、
前記コネクタ本体内には、該コネクタ本体に前記コンタクトを一体的に組付けた場合に、そのコンタクトにおける前記被支持部を支持するための支持部と、そのコンタクトにおける前記ばね部の一部を前記コネクタ本体外に突出させるための開口を有するばね部用収容室と、そのコンタクトにおける前記リード部を収容すると共に前記電線を挿入させるための挿入口を有する接続室とが設けられ、
前記コネクタ本体には、前記電線を有する雌型のコネクタと対応する雄型コネクタ部が設けられ、該雄型コネクタ部に、前記雌型のコネクタを挿脱自在とする挿入口を備えた接続室が形成されているコネクタ。
【請求項２】
前記コネクタ本体は、複数のハウジングから構成されており、前記開口が形成されたハウジングと前記挿入口及び接続室が形成されたハウジングとは別体であり、前記支持部は、前記各ハウジングのうち前記挿入口及び接続室が形成されたハウジング以外のハウジングに形成されている請求項１に記載のコネクタ。
【請求項３】
前記各ハウジングには、隣接するハウジング同士を離間不能な状態でロックするロック機構がそれぞれ設けられている請求項２に記載のコネクタ。
【請求項４】
前記各ハウジングのうち前記開口が形成されたハウジングには、前記コネクタ本体を固定部材に固定させるための固定部が設けられている請求項２又は請求項３に記載のコネクタ。
【発明の詳細な説明】
【技術分野】
【０００１】
本発明は、回路基板などの接触対象物に対してコンタクトの一部が圧接するいわゆるコンプレッション型のコネクタに関する。
【背景技術】
【０００２】
従来、この種のコネクタとして、例えば特許文献１に記載の電気コネクタ（以下、単に「コネクタ」という。）が提案されている。この特許文献１に記載のコネクタは、表面実装タイプのコネクタであり、絶縁性のコネクタ本体と、該コネクタ本体に一体的に組付けられた導電性のコンタクトとを備えている。コンタクトは、薄い金属板を短冊状に加工したものであり、コネクタ本体に支持される部位となる被支持部と、被支持部から見てコンタクトの長手方向一方側を湾曲するように曲げ加工したばね部と、被支持部から見てコンタクトの長手方向他方側から所定方向へ延設されるリード部とが一体形成された構成をしている。
【０００３】
図９に示すように、このコネクタ７０のコンタクト７１に対して電線７２を電気的に接続させる場合、従来は、コネクタ７０をプリント基板７３上に載置し、該プリント基板７３に対してコンタクト７１のリード部７４を半田付け処理していた。また、コンタクト７１のばね部７５は、その一部がコネクタ本体７６の一面（例えば上面）７６ａに形成された開口（図示略）を介して上方に突出するようにしていた。そして、コネクタ本体７６に対して上方から下方に向けて接触対象物（例えば回路基板）７７を接近させた場合には、該接触対象物７７がばね部７５のうちコネクタ本体７６外に突出した頂点部７５ａを下方に押圧するようにしていた。そのため、ばね部７５が下方（図９において鉛直下方向きの実線矢印で示す方向）に撓み変形することにより、その頂点部７５ａが下方に変位する結果、その変位量に基づいた付勢力によって、コンタクト７１におけるばね部７５の頂点部７５ａが接触対象物７７に圧接するようになっていた。
【０００４】
また、プリント基板７３には、雄型の接続用コネクタ（以下、単に「雄型コネクタ」という。）７８が載置され、該雄型コネクタ７８の図示しないコンタクトのリード部がプリント基板７３に半田付け処理されていた。すなわち、コネクタ７０のコンタクト７１と雄型コネクタ７８のコンタクトとは、プリント基板７３上の配線パターン（図示略）によって電気的に接続されていた。そして、その雄型コネクタ７８内に雌型の接続用コネクタ（以下、単に「雌型コネクタ」ともいう。）７９が嵌入されることにより、雌型コネクタ７９に装着された電線７２と雄型コネクタ７８のコンタクトとが接続される結果、電線７２とコネクタ７０のコンタクト７１とが電気的に接続されるようになっていた。なお、このプリント基板７３は、複数（図９では２つのみ図示）のねじ８０によって筐体（固定部材）８１にねじ固定されていた。
【特許文献１】特開２００４−１２７６１１号公報（図８）
【発明の開示】
【発明が解決しようとする課題】
【０００５】
ところで、近時では、コネクタの設置スペースの関係上、省スペース化が強く求められている。しかしながら、特許文献１に記載のコネクタ７０のコンタクト７１に電線７２を電気的に接続させるためには、上述したように、プリント基板７３や雄型コネクタ７８を設ける必要があった。そのため、特許文献１に記載のコネクタ７０では、該コネクタ７０のコンタクト７１に電線７２を電気的に接続させるための部品点数が増加してしまい、省スペース化を図ることができないという問題があった。
【０００６】
本発明は、このような事情に鑑みてなされたものである。その目的は、部品点数の増加を抑制することにより省スペース化を図ることができ、またコンタクトのリード部に電線を半田付け処理する場合とは異なり、コンタクトと電線との電気的な接続及び非接続を容易に行うことができるコネクタを提供することにある。
【課題を解決するための手段】
【０００７】
上記目的を達成するために、請求項１に記載の発明は、絶縁性のコネクタ本体と、該コネクタ本体に一体的に組付けされた導電性のコンタクトとを備え、該コンタクトには、前記コネクタ本体に支持される被支持部と、接触対象物に押圧された場合に撓み変形するばね部と、電線に接続されるリード部とが一体形成されており、前記コネクタ本体が固定部材に固定されるように構成されており、前記コネクタ本体内には、該コネクタ本体に前記コンタクトを一体的に組付けた場合に、そのコンタクトにおける前記被支持部を支持するための支持部と、そのコンタクトにおける前記ばね部の一部を前記コネクタ本体外に突出させるための開口を有するばね部用収容室と、そのコンタクトにおける前記リード部を収容すると共に前記電線を挿入させるための挿入口を有する接続室とが設けられ、前記コネクタ本体には、前記電線を有する雌型のコネクタと対応する雄型コネクタ部が設けられ、該雄型コネクタ部に、前記雌型のコネクタを挿脱自在とする挿入口を備えた接続室が形成されているコネクタである。
【０００８】
上記の構成によれば、コネクタ本体の挿入口から接続室内へ挿入された電線が接続室内にてコンタクトのリード部に直接接続されるため、配線パターンが形成されたプリント基板などを使用してコンタクトと電線との電気的接続を行った従来とは異なり、コンタクトと電線とを電気的に接続させる場合の部品点数の増加が抑制される。すなわち、部品点数の増加を抑制することにより省スペース化を図ることができる。
【０００９】
また、前記コネクタ本体には、前記電線を有する雌型のコネクタと対応する雄型コネクタ部が設けられ、該雄型コネクタ部に、前記雌型のコネクタを挿脱自在とする挿入口を備えた接続室が形成されているという上記の構成によれば、コネクタ本体における雄型コネクタ部の接続室内には、雌型のコネクタが挿入口を介して挿入される。そのため、コンタクトのリード部に電線を半田付け処理する場合とは異なり、コンタクトと電線との電気的な接続及び非接続を容易に行うことができる。
【００１０】
請求項２に記載の発明は、請求項１に記載のコネクタにおいて、前記コネクタ本体は、複数のハウジングから構成されており、前記開口が形成されたハウジングと前記挿入口及び接続室が形成されたハウジングとは別体であり、前記支持部は、前記各ハウジングのうち前記挿入口及び接続室が形成されたハウジング以外のハウジングに形成されていることを特徴とする。
【００１１】
一般に、複数のハウジングからなるコネクタを製造する場合には、コンタクトを支持部が形成されたハウジングに組付けた後に、該ハウジングに対して挿入口及び接続室が形成されたハウジングを組付ける。この点、上記の構成によれば、支持部が形成されたハウジングにコンタクトを組付ける際に、挿入口及び接続室が形成されたハウジングが別体であるため邪魔になることはない。したがって、ハウジングに対してコンタクトを一体的に組付ける際に、該コンタクトのリード部が不用意に曲がってしまうことが抑制される。
【００１２】
請求項３に記載の発明は、請求項２に記載のコネクタにおいて、前記各ハウジングには、隣接するハウジング同士を離間不能な状態でロックするロック機構がそれぞれ設けられていることを特徴とする。
【００１３】
上記の構成によれば、隣接するハウジング同士が離間不能な状態でロックされるため、コネクタ本体が不用意に分解されることが回避される。
【００１４】
請求項４に記載の発明は、請求項２又は請求項３に記載のコネクタにおいて、前記各ハウジングのうち前記開口が形成されたハウジングには、前記コネクタ本体を固定部材に固定させるための固定部が設けられていることを特徴とする。
【００１５】
上記の構成では、各ハウジングのうち開口が形成されたハウジングが最も接触対象物に近いハウジングとなる。その開口が形成されたハウジングに固定部が形成されているため、コンタクトのばね部が接触対象物に付与する押圧力（付勢力）が各ハウジングの公差に起因して変化することが抑制される。
【発明の効果】
【００１６】
本発明によれば、部品点数の増加を抑制することにより省スペース化を図ることができる。また、コネクタ本体における雄型コネクタ部の接続室内には、雌型のコネクタが挿入口を介して挿入されるため、コンタクトのリード部に電線を半田付け処理する場合とは異なり、コンタクトと電線との電気的な接続及び非接続を容易に行うことができる。請求項２の構成によれば、支持部が形成されたハウジングにコンタクトを組付ける際に、挿入口及び接続室が形成されたハウジングが別体であるため邪魔になることはない。したがって、ハウジングに対してコンタクトを一体的に組付ける際に、該コンタクトのリード部が不用意に曲がってしまうことが抑制される。請求項３の構成によれば、隣接するハウジング同士が離間不能な状態でロックされるため、コネクタ本体が不用意に分解されることが回避される。請求項４の構成では、各ハウジングのうち開口が形成されたハウジングが最も接触対象物に近いハウジングとなる。その開口が形成されたハウジングに固定部が形成されているため、コンタクトのばね部が接触対象物に付与する押圧力（付勢力）が各ハウジングの公差に起因して変化することが抑制される。
【発明を実施するための最良の形態】
【００１７】
以下、本発明を具体化した一実施形態を図１〜図７に従って説明する。なお、以下における本明細書中の説明において、「上下方向」、「左右方向」、「前後方向」は図１（ａ）（ｂ）における上下方向、左右方向、前後方向（同図に矢印で示す）をそれぞれ示すも
のとする。
【００１８】
図１（ａ）（ｂ）に示すように、本実施形態のコネクタ１０は、コンプレッション型のコネクタであり、絶縁材料からなるコネクタ本体１１と、該コネクタ本体１１に一体的に組付けられる複数（本実施形態では２つ）の導電性のコンタクト１２とを備えている。これら各コンタクト１２は、図２に示すように、薄い金属板を短冊状にしたものであり、その長手方向の中途部位が、コンタクト１２をコネクタ本体１１に一体的な組み付けた状態において、コネクタ本体１１（詳しくは後述する支持部２６）に支持される被支持部１３とされている。この被支持部１３は、コンタクト１２がコネクタ本体１１に組み付けられた状態時には前後方向に沿って延びる平板状をなすように形成され、その後端部から先が上方に向けて約９０度に曲げ加工されると共に、その前端部から先が下方に向けて約９０度に曲げ加工されている。
【００１９】
そして、各コンタクト１２における被支持部１３の上側位置には、湾曲するように曲げ加工されたばね部１４が被支持部１３の後端部から先に連続するようにそれぞれ形成されている。各ばね部１４は、コネクタ本体１１（後述する第１ハウジング１７のばね部用収容室２５）内に収容される下側ばね部１４ａと、該下側ばね部１４ａの上端からコネクタ本体１１外に突出する上側ばね部１４ｂとから構成されている。下側ばね部１４ａは、被支持部１３の後端部に連続して側面視略コ字状をなすように曲げ加工されると共に、上側ばね部１４ｂは、下側ばね部１４ａに連続して側面視略逆Ｖ字状をなすように曲げ加工されている。そして、各ばね部１４において上側ばね部１４ｂの頂点部（図２では上端部）１５が下方に向けて押圧された場合に、ばね部１４全体が下方へ撓み変形し、上側ばね部１４ｂのうち少なくとも一部がばね部用収容室２５内に没入するようになっている。一方、各コンタクト１２における被支持部１３の下側位置には、鉛直下方に向けて延びるリード部１６が被支持部１３の前端部から先に連続するようにそれぞれ形成されている。
【００２０】
コネクタ本体１１は、正面視略矩形状をなす第１ハウジング１７と、該第１ハウジング１７に下方から離間不能な状態で接続される正面視略矩形状の第２ハウジング１８とを備えている。図３（ａ）（ｂ）に示すように、第１ハウジング１７における左右両側の側面部１７ａ，１７ｂには、挿入用溝部（固定部）１９Ａ，１９Ｂが前後方向に沿うように形成されている。具体的には、右側面部１７ａの挿入用溝部１９Ａは、前後方向に貫通するように形成される一方、左側面部１７ｂの挿入用溝部１９Ｂは、その後端に逆嵌合防止用の行止り部２０を有するように形成されている。
【００２１】
本実施形態において、コネクタ本体１１（第１ハウジング１７）は、図４（ａ）（ｂ）及び図５に示すように、筐体（固定部材）Ｃに固定されるようになっている。筐体Ｃの一端側縁Ｃａからは平面視矩形状をなす切欠き部２１が形成され、該切欠き部２１内にコネクタ本体１１が組付けられるようになっている。すなわち、コネクタ本体１１は、その各挿入用溝部１９Ａ，１９Ｂ内に切欠き部２１の左右の側壁部２１ａ，２１ｂがそれぞれ挿入され、この状態で切欠き部２１の奥方（前方）まで挿入案内されることにより、筐体Ｃに固定されるようになっている。なお、筐体Ｃの切欠き部２１内に挿入されたコネクタ本体１１の後側には、該コネクタ本体１１が切欠き部２１内から脱着しないようにコネクタ押え２２が配設される。
【００２２】
また、第１ハウジング１７内には、各コンタクト１２におけるばね部１４の下側ばね部１４ａを収容するばね部用収容室２５がコンタクト１２毎に個別対応して形成されると共に、該各ばね部用収容室２５の下側には各コンタクト１２の被支持部１３を支持する支持部２６が形成されている。各ばね部用収容室２５は、図２に示すように、第１ハウジング１７の上側面１７ｃから前側面１７ｄにかけて連続するように形成された開口２７を介して第１ハウジング１７（コネクタ本体１１）外とそれぞれ連通している。そして、各コンタクト１２におけるばね部１４の上側ばね部１４ｂは、開口２７を介して上方に向けて第１ハウジング１７外にそれぞれ突出している。そのため、図５に示すように、第１ハウジング１７に対して上方から下方に向けて回路基板（接触対象物）２８が接近して該回路基板２８とばね部１４における上側ばね部１４ｂの頂点部１５とが接触した場合、各上側ばね部１４ｂは、それらの頂点部１５が回路基板２８に押圧される結果、下方に向けて撓み変形するようになっている。そして、この撓み変形に基づいた付勢力でもって各コンタクト１２におけるばね部１４の上側ばね部１４ｂは、それらの頂点部１５を回路基板２８にそれぞれ圧接させるようになっている。
【００２３】
第１ハウジング１７において支持部２６の下側には、図１（ｂ）に示すように、該第１ハウジング１７に第２ハウジング１８を接続させる際に該第２ハウジング１８を予め設定された所定位置にガイドするためのガイド部２９が形成されている。このガイド部２９は、各コンタクト１２のリード部１６間に配置されている。そして、図６及び図７に示すように、ガイド部２９の前側面２９ａには、その左右方向の略中央に係止凸部３０が形成されると共に、ガイド部２９の後側面２９ｂには、その左右両側に係止凸部３１がそれぞれ形成されている。
【００２４】
第２ハウジング１８には、図２に示すように、第１ハウジング１７から下方に向けて延びる各コンタクト１２のリード部１６を第２ハウジング１８内に案内するための案内口３５がコンタクト１２毎に個別対応して形成されている。また、第２ハウジング１８内には、該第２ハウジング１８の下側に形成された挿入口３６を介して第２ハウジング１８外と連通する接続室３７が形成されている。この接続室３７は、挿入口３６だけではなく各案内口３５とも連通しており、接続室３７内には、各案内口３５を介して導入案内された各コンタクト１２のリード部１６が収容されている。なお、本実施形態では、各コンタクト１２におけるリード部１６の先端（下端）が接続室３７から挿入口３６を介して第２ハウジング１８外に突出することはない。
【００２５】
また、第２ハウジング１８には、図６に示すように、第１ハウジング１７に接続される際に該第１ハウジング１７におけるガイド部２９の前側面２９ａに形成された係止凸部３０に係止される係止爪３８が設けられている。さらに、第２ハウジング１８における係止爪３８の左右両側には、図１（ａ）（ｂ）に示すように、第２ハウジング１８が第１ハウジング１７に接続された場合に該第１ハウジング１７が第２ハウジング１８に対して前後方向に変位することを規制するための規制用突起３９がそれぞれ形成されている。
【００２６】
同様に、第２ハウジング１８には、図１（ａ）及び図７に示すように、第１ハウジング１７に接続される際に該第１ハウジング１７におけるガイド部２９の後側面２９ｂに形成された各係止凸部３１に係止される係止爪４０が各別に設けられている。さらに、第２ハウジング１８における各係止爪４０の間には、第２ハウジング１８が第１ハウジング１７に接続された場合に該第１ハウジング１７が第２ハウジング１８に対して前後方向に変位することを規制するための規制用突起４１が形成されている。
【００２７】
すなわち、第１ハウジング１７に第２ハウジング１８が接続される場合、第１ハウジング１７のガイド部２９は、第２ハウジング１８における係止爪３８と規制用突起４１との間のスペース内に案内されるようになっている。そして、第１ハウジング１７に第２ハウジング１８が接続された場合、該第２ハウジング１８は、第１ハウジング１７に対して３箇所の係止手段（係止爪３８、左右各係止爪４０）を介して移動不能な状態にロックされるようになっている。したがって、本実施形態では、各係止凸部３０，３１及び各係止爪３８，４０により、隣接するハウジング１７，１８同士を離間不能な状態でロックするロック機構が構成されている。
【００２８】
また、第２ハウジング１８の接続室３７内には、図５に示すように、複数本（本実施形態では２本）の電線４２を有する雌型のコネクタ（以下、「雌型コネクタ」という。）４３が挿入口３６を介して挿入されるようになっている。このように雌型コネクタ４３が挿入口３６を介して接続室３７内に挿入された場合には、各コンタクト１２のリード部１６と該コンタクト１２に対応する電線４２とがそれぞれ接続されるようになっている。したがって、本実施形態では、第２ハウジング１８が、雌型コネクタ４３が挿入口３６を介して挿入される接続室３７を有する雄型コネクタ部として機能するようになっている。
【００２９】
次に、本実施形態のコネクタ１０を組立てて、その組立てられたコネクタ１０を筐体Ｃに組付ける際の作用について以下説明する。
まず、第１ハウジング１７の支持部２６に各コンタクト１２の被支持部１３を支持させることにより、第１ハウジング１７に対して各コンタクト１２をそれぞれ一体的に組付ける。すると、第１ハウジング１７からは、各開口２７を介して各コンタクト１２の上側ばね部１４ｂが上方に向けて突出すると共に、各コンタクト１２のリード部１６が第１ハウジング１７の下方に向けて延設される。この状態で、第１ハウジング１７に対して第２ハウジング１８を下方から上方に向けて接近させることにより、第１ハウジング１７に第２ハウジング１８を接続させる。
【００３０】
すなわち、各コンタクト１２のリード部１６が第２ハウジング１８の各案内口３５を介して接続室３７内にそれぞれ導入案内される。また、第１ハウジング１７のガイド部２９は、第２ハウジング１８における係止爪３８と規制用突起４１との間のスペースに案内される。そして、第２ハウジング１８が第１ハウジング１７に対してさらに上方に移動すると、第１ハウジング１７の係止凸部３０に第２ハウジング１８の係止爪３８が係止される。同様に、第１ハウジング１７の各係止凸部３１には、該各係止凸部３１に個別対応した第２ハウジング１８の各係止爪４０がそれぞれ係止される。すなわち、隣接する各ハウジング１７，１８が離間不能な状態になる。
【００３１】
この状態においては、第１ハウジング１７のガイド部２９の前側面２９ａと第２ハウジング１８の各規制用突起３９との間にほとんど隙間が形成されないと共に、ガイド部２９の後側面２９ｂと第２ハウジング１８の規制用突起４１との間にもほとんど隙間が形成されない。そのため、第２ハウジング１８が第１ハウジング１７に対して前後方向に変位することが規制される。したがって、各ハウジング１７，１８のロック状態が不用意に解除されることはない。
【００３２】
そして次に、第２ハウジング１８の接続室３７内には、挿入口３６を介して雌型コネクタ４３が挿入される。その結果、接続室３７内では、コネクタ１０における各コンタクト１２のリード部１６と各コンタクト１２に対応する雌型コネクタ４３の電線４２とがそれぞれ接続されることになる。
【００３３】
その後、筐体Ｃの一端側縁Ｃａに形成された切欠き部２１内にコネクタ１０が挿入される。すなわち、コネクタ１０は、各挿入用溝部１９Ａ，１９Ｂ内に切欠き部２１の左右の側壁部２１ａ，２１ｂがそれぞれ挿入された状態で、切欠き部２１の奥方（前方）まで挿入案内される。その後、コネクタ１０の後側にコネクタ押え２２が配設されることにより、コネクタ１０が筐体Ｃに移動不能に組付けられる。
【００３４】
したがって、本実施形態では、以下に示す効果を得ることができる。
（１）コネクタ本体１１（第２ハウジング１８）に形成された接続室３７内において各コンタクト１２のリード部１６に電線４２が直接接続されるため、プリント基板などを使用してコンタクトと電線との電気的接続を行った従来のコネクタの場合とは異なり、コンタクト１２と電線４２とを電気的に接続させる場合の部品点数の増加が抑制される。すなわち、部品点数の増加を抑制することにより省スペース化を図ることができる。
【００３５】
（２）また、コンタクト１２のリード部１６に電線４２が直接接続される構成にしたため、電線４２の引き回しを容易に行うことができる。
（３）コネクタ本体１１における第２ハウジング（雄型コネクタ部）１８の接続室３７内には、雌型コネクタ４３が挿入口３６を介して挿入される。そのため、各コンタクト１２のリード部１６に電線４２を各別に半田付け処理する場合とは異なり、コンタクト１２と電線４２との電気的な接続及び非接続を容易に行うことができる。
【００３６】
（４）一般に、複数のハウジング１７，１８からなるコネクタ１０を製造する場合には、各コンタクト１２を支持部２６が形成された第１ハウジング１７に一体的に組付けた後に、該第１ハウジング１７に対して挿入口３６及び接続室３７が形成された第２ハウジング１８を組付ける。この点、本実施形態によれば、第１ハウジング１７に各コンタクト１２を一体的に組付ける際に、別体構成の第２ハウジング１８が邪魔になることはない。したがって、第１ハウジング１７に対して各コンタクト１２を一体的に組付ける際に、該各コンタクト１２のリード部１６が、第２ハウジング１８に接触してしまうことにより不用意に曲がってしまうことを抑制できる。
【００３７】
（５）隣接するハウジング１７，１８同士が離間不能な状態でロックされるため、コネクタ本体１１が不用意に分解されることを回避できる。
（６）挿入用溝部（固定部）１９Ａ，１９Ｂが各ハウジング１７，１８のうち最も回路基板（接触対象物）２８に近い第１ハウジング１７に形成されている。そのため、各コンタクト１２におけるばね部１４の上側ばね部１４ｂが回路基板２８に撓み変形しながら圧接することにより付与するところの押圧力（付勢力）が各ハウジング１７，１８の公差に起因して変化することを抑制できる。
【００３８】
（７）第１ハウジング１７に接続された第２ハウジング１８は、第１ハウジング１７の各規制用突起３９，４１によって前後方向に変位することが規制される。そのため、各係止凸部３０，３１及び各係止爪３８，４０からなるロック機構によるロックが容易に解除されることがなくなり、その結果、第２ハウジング１８が第１ハウジング１７から離間してしまうことを良好に回避できる。
【００３９】
なお、実施形態は以下のような別の実施形態（別例）に変更してもよい。
・実施形態において、第１ハウジング１７に形成される固定部は、図８に示すように、第１ハウジング１７の左右の両側面部１７ａ，１７ｂから突出形成されたフランジ部５０であってもよい。これら各フランジ部５０には、上下方向に延びるねじ孔５１がそれぞれ形成され、図示しないねじがねじ孔５１内に螺入されることにより、筐体Ｃにコネクタ１０が固定されることになる。
【００４０】
・実施形態において、第２ハウジング１８は、第１ハウジング１７に対して３箇所以外の複数箇所又は１箇所でロック（係止）されるようにしてもよい。
・また、各ハウジング１７，１８にロック機構を設けずに、隣接するハウジング１７，１８同士を、接着剤などで移動不能に固定するようにしてもよい。
【００４１】
・実施形態において、コネクタ本体１１は、３つ以上のハウジングから構成されたものであってもよい。
【００４２】
・実施形態において、コネクタ１０は、コネクタ本体１１に３つ以上のコンタクト１２が一体的に組付けられたものであってもよい。また、コネクタ１０は、コネクタ本体１１に１つのコンタクト１２のみが一体的に組付けられたものであってもよい。
【００４３】
・実施形態において、接触対象物は回路基板２８以外に端子金具などであってもよい。
【図面の簡単な説明】
【００４４】
【図１】（ａ）は本実施形態におけるコネクタの斜視図、（ｂ）は本実施形態におけるコネクタの分解斜視図。
【図２】本実施形態におけるコネクタの側断面図。
【図３】（ａ）は本実施形態におけるコネクタの正面図、（ｂ）は図３（ａ）とは逆方向から見た場合のコネクタの正面図。
【図４】（ａ）は筐体の上面図、（ｂ）は筐体にコネクタが固定された様子を示す上面図。
【図５】筐体にコネクタが固定された様子を示す側断面図。
【図６】図３（ｂ）における６−６線矢視断面図。
【図７】図３（ｂ）における７−７線矢視断面図。
【図８】別例のコネクタを示す正面図。
【図９】従来のコネクタのコンタクトに電線を電気的に接続させた状態を示す概略断面図。
【符号の説明】
【００４５】
１０…コネクタ、１１…コネクタ本体、１２…コンタクト、１３…被支持部、１４…ばね部、１６…リード部、１７…第１ハウジング、１８…第２ハウジング（雄型コネクタ部）、１９Ａ，１９Ｂ…挿入用溝部（固定部）、２５…ばね部用収容室、２６…支持部、２７…開口、２８…回路基板（接触対象物）、３０，３１…係止凸部（ロック機構）、３６…挿入口、３７…接続室、３８，４０…係止爪（ロック機構）、４２…電線、４３…雌型のコネクタ、５０…フランジ部（固定部）、Ｃ…筐体（固定部材）。
【図１】
0004727430.tif 000002
【図２】
0004727430.tif 000003
【図３】
0004727430.tif 000004
【図４】
0004727430.tif 000005
【図５】
0004727430.tif 000006
【図６】
0004727430.tif 000007
【図７】
0004727430.tif 000008
【図８】
0004727430.tif 000009
【図９】
0004727430.tif 000010